(57)【要約】【課題】  トップカバーの面変形を抑制したディスク装置を提供する。【解決手段】  ヘッドアセンブリ１２、回路部１３、及び記録媒体１１を収納するベース１４と、ヘッドアセンブリ１２及び回路部１３を収納する位置近傍の複数の内部支持点、並びに周縁部の周縁支持点において、ベース１４に支持され、ベース１４の収納部分をカバーするトップカバー１５とを備え、これら複数の内部支持点、及び、周縁支持点のうち、ヘッドアセンブリ１２及び回路部１３を収納する位置近傍の周縁支持点の位置を頂点とする多角形内で、当該多角形部分のトップカバー１５の面の振動の腹部近傍に対応する対応位置に、トップカバー１５の振動を抑制する振動抑制部材１６を設けたディスク装置である。【選択図】        図１
2006185508.tif 000002
【特許請求の範囲】
【請求項１】
ヘッドアセンブリ、回路部、及び記録媒体を収納するベースと、
ヘッドアセンブリ及び回路部を収納する部分近傍の複数の内部支持点、並びに周縁部の周縁支持点において、前記ベースに支持され、前記ベースの収納部分をカバーするトップカバー部とを備え、
前記ヘッドアセンブリは、前記ベース内で回転可能に支持され、前記回転軸は前記トップカバー部に固定されており、
前記複数の内部支持点、及び、前記周縁支持点のうち、ヘッドアセンブリ及び回路部を収納する部分近傍の周縁支持点の位置を頂点とする多角形内で、当該多角形部分のトップカバー部の面の振動の腹部近傍に対応する対応位置に、前記トップカバー部の振動を抑制する振動抑制部材を設けたことを特徴とするディスク装置。
【請求項２】
請求項１に記載のディスク装置において、
前記振動抑制部材は、前記対応位置において前記トップカバー部を支持する支持体であることを特徴とするディスク装置。
【請求項３】
請求項２に記載のディスク装置において、
前記支持体は、前記回路部の構造の一部に設けられ、前記対応位置においてトップカバー部に当接することを特徴とするディスク装置。
【請求項４】
請求項３に記載のディスク装置において、
前記回路部は、フレキシブル回路基板と、前記フレキシブル回路基板を固定する回路ベースとを含み、
前記回路ベースの外周部に前記支持体を設けたことを特徴とするディスク装置。
【発明の詳細な説明】
【技術分野】
【０００１】
本発明は、ハードディスク等のディスク装置に関する。
【背景技術】
【０００２】
ハードディスク等のディスク装置は一般に、記録媒体と、この記録媒体に対してデータを読み書きするためのヘッドアセンブリと、外部の装置との間でデータの入出力を行う回路部とを基本的に有する。ヘッドアセンブリは、ヘッド部分が、記録媒体上を動径方向に移動できるよう、回転可能に支持されている。これらの各部は、容器となるベースに収納される。またベースの上記収納部分は、トップカバーによってカバーされる。
【０００３】
ここでトップカバーは、その周縁部においてベースに固定されるとともに、ヘッドアセンブリの回転軸にも例えばネジによって固定される。また、回路部近傍には、筐体内外の空気圧を調整するためのエアフィルタが設けられることもあり、この場合、トップカバーは、当該エアフィルタ部分においても支持される。
【０００４】
なお、ハードディスクのトップカバーの変形を防止するべく、ヘッド部分の移動方向の延長線上近傍に支持柱を設ける例が特許文献１に開示されている。
【特許文献１】特開平９−１８０４２６号公報
【発明の開示】
【発明が解決しようとする課題】
【０００５】
一方で近年では、ハードディスク等のディスク装置の小型化が促進され、ヘッドのサイズもますます小型化されている。このため、ヘッドの記録媒体からの浮上を抑止するロードバランスも小さくなり、浮上高のばらつきが大きくなるなどの現象が生じている。
【０００６】
こうした実情の下、ディスク装置を取り付けたコンピュータ装置等の実装の現場では、次のような問題が発生している。すなわち、落下衝撃などを受けた場合を想定したとき、コンピュータ装置の構成部品がディスク装置のトップカバーを圧迫し、トップカバーの面が変形するとともに、トップカバーに固定されているヘッドアセンブリの中心軸にブレが生じる。これによりヘッドの浮上高にさらなるばらつきが生じて、記録再生の精度に影響を受けることがある。
【０００７】
ここでのトップカバーの変形は、トップカバーを固定または支持する位置を頂点とし、ヘッドアセンブリの中心軸を頂点の一つとして含む多角形で囲まれる、トップカバー面上の領域を振動させたときの振動の中心（振動の腹部）において、その変形量が最も大きくなるタイプの面変形であり、特許文献１に開示されている技術とは、また別途にその変形を抑制する技術を実装することが好ましい。
【０００８】
本発明は上記実情に鑑みて為されたもので、トップカバーの面変形を抑制したディスク装置を提供することを、その目的の一つとする。
【課題を解決するための手段】
【０００９】
上記従来例の問題点を解決するための本発明は、ディスク装置であって、ヘッドアセンブリ、回路部、及び記録媒体を収納するベースと、ヘッドアセンブリ及び回路部を収納する部分近傍の複数の内部支持点、並びに周縁部の周縁支持点において、前記ベースに支持され、前記ベースの収納部分をカバーするトップカバー部とを備え、前記ヘッドアセンブリは、前記ベース内で回転可能に支持され、前記回転軸は前記トップカバー部に固定されており、前記複数の内部支持点、及び、前記周縁支持点のうち、ヘッドアセンブリ及び回路部を収納する部分近傍の周縁支持点の位置を頂点とする多角形内で、当該多角形部分のトップカバー部の面の振動の腹部近傍に対応する対応位置に、前記トップカバー部の振動を抑制する振動抑制部材を設けたことを特徴としている。
【００１０】
ここで前記振動抑制部材は、前記対応位置において前記トップカバー部を支持する支持体であることとしてもよい。また、この支持体は、前記回路部の構造の一部に設けられ、前記対応位置においてトップカバー部に当接するものとしてもよい。さらに前記回路部は、フレキシブル回路基板と、前記フレキシブル回路基板を固定する回路ベースとを含み、前記回路ベースの外周部に前記支持体を設けてもよい。
【発明を実施するための最良の形態】
【００１１】
本発明の実施の形態について図面を参照しながら説明する。本発明の実施の形態に係るディスク装置は、図１に示すように、容器となるベース１４とトップカバー１５とを含んで構成されている。また、ベース１４には、図２に示すように、記録媒体１１と、この記録媒体に対してデータを読み書きするためのヘッドアセンブリ１２と、外部の装置との間でデータの入出力を行う回路部１３とが基本的に収納される。なお、図１，図２では、説明の都合上、後に説明する振動抑制部材１６を取付ける前の状態を表している。
【００１２】
ここでヘッドアセンブリ１２は、ヘッド部分が、記録媒体１１上を動径方向に移動できるよう、回転軸Ｃにおいて回転可能に支持されている。またトップカバー１５は、ベース１４の上記収納部分をカバーする。
【００１３】
トップカバー１５は、ベース１４の収納部分の周縁部にネジなどで固定される。また、トップカバー１５は、ヘッドアセンブリ１２の回転軸Ｃにもネジなどで固定される。すなわち、トップカバー１５は、周縁部上の複数の点Ｘ，Ｙと、ヘッドアセンブリ１２の回転軸Ｃの位置とで固定されることになる。以下、収納部分の周縁部における固定点を周縁支持点と呼ぶ。またそれ以外の固定点を内部支持点を呼ぶ。ここでの例では、内部支持点は、ヘッドアセンブリ１２の回転軸Ｃの位置である。
【００１４】
さらに周縁支持点のうち、ヘッドアセンブリ１２及び回路部１３を収納する部分近傍の周縁支持点を注目支持点（Ｙ）と呼ぶこととする。本実施の形態では、これら注目支持点Ｙと、内部支持点Ｃとの各位置を頂点とする多角形内（図３の斜線部Ｐ）で、この多角形部分におけるトップカバー部１５の面の振動の腹部近傍に対応する対応位置に、このトップカバー部１５の振動を抑制する振動抑制部材１６を設ける。
【００１５】
ここで振動抑制部材１６の具体的な例について述べる。上記多角形部分には一般に、上記回路部１３が収納されるほか、呼吸フィルタが設けられる。そこで振動抑制部材１６は、例えばこの呼吸フィルタ部分に取り付けられてもよい。図４は、呼吸フィルタに取り付けられる振動抑制部材１６の一例を表す平面図、図５は、その側面図であり、図６は呼吸フィルタに取り付けられる振動抑制部材１６の斜視図である。図６に示すように、この振動抑制部材１６には、円柱状の呼吸フィルタ３１の径に対応する開口が設けられている。この振動抑制部材１６は、この開口を呼吸フィルタ３１に嵌め込んで取り付けられる。呼吸フィルタ３１は、トップカバー１５側に取り付けられており、振動抑制部材１６にはさらに、支持柱部３２が形成されており、ベース１４にトップカバー１５を取り付けたとき、この支持柱部３２の面がベース１４の底部に接した状態となる。
【００１６】
この状態で、トップカバー１５に対して衝撃が与えられると、振動抑制部材１６の支持柱部３２がベース１４の底部に接した状態にあることから、支持柱部３２の位置近傍では、トップカバー１５の振動が抑制される。このため上記多角形部分の振動幅が小さくなり、トップカバー１５の面変形が抑制される。
【００１７】
こうして、トップカバー１５に固定されているヘッドアセンブリ１２の中心軸のブレも抑制され、ヘッドの浮上高が安定して、トップカバー１５に対する衝撃による記録再生への影響も低減できる。
【００１８】
また振動抑制部材１６は、回路部１３の位置に設けられてもよい。図７は、回路部１３に取り付けられる振動抑制部材１６の一例を表す平面図、図８は、その側面図であり、図９は回路部１３に取り付けられる振動抑制部材１６の斜視図である。
【００１９】
ディスク装置の回路部１３は、フレキシブル回路基板上に形成され、図９に示すような回路ベース４１上に固定される。この回路ベース４１は、図９に示すように、例えば樹脂製の板状体であり、フレキシブル回路基板を固定するためのビス穴が形成されている。なお、図９では、図面を見やすくするために、フレキシブル回路基板を省略している。
【００２０】
回路部１３に取り付けられる、この例の振動抑制部材１６もまた、この回路ベース４１に固定される。この例の振動抑制部材１６は、支持柱部３３が形成されている。この支持柱部３３は、トップカバー１５をベース１４に取り付けたときに、トップカバー１５に接する状態となるよう形成されている。すなわち、トップカバー１５は、振動抑制部材１６の支持柱部３３を通じて、回路ベース４１とベース１４とによって支えられた状態となっている。この状態で、トップカバー１５に対して衝撃が与えられると、支持柱部３３の位置近傍では、トップカバー１５の振動が抑制される。このため上記多角形部分の振動幅が小さくなり、トップカバー１５の面変形が抑制される。
【００２１】
さらにここまでの説明では、従来のディスク装置を構成する部品とは別に、振動抑制部材１６の部品を要する例について述べた。しかしながら、本実施の形態における振動抑制部材１６の例は、これに限られない。
【００２２】
例えば、回路部１３の構造の一部に支持体を形成してもよい。ここではその一例として、図９に示した回路ベース４１の一部を変形して支持体を設ける場合について説明する。一部に支持体を設けた回路ベース４１′は、図１０にその斜視図を示すように、従来の回路ベース４１の外周部に支持柱部３４を形成したものである。この支持柱部３４は、トップカバー１５をベース１４に取り付けたときに、そのトップカバー１５側の面が、トップカバー１５に接するよう形成されている。
【００２３】
すなわち、トップカバー１５は、振動抑制部材１６となる回路ベース４１′の支持柱部３４を通じて、回路ベース４１′とベース１４とによって支えられた状態となっている。この状態で、トップカバー１５に対して衝撃が与えられると、支持柱部３４の位置近傍では、トップカバー１５の振動が抑制される。このため上記多角形部分の振動幅が小さくなり、トップカバー１５の面変形が抑制される。
【００２４】
このように回路ベース４１′を用いる例では新たな部品を要することなく、トップカバー１５の面変形を抑制できるので、製造上の負担を軽減できる。
【００２５】
なお、ここで例示した各振動抑制部材１６の支持位置を表す平面図を図１１に示す。図１１に示すように、上述の振動抑制部材１６のいずれも、注目支持点と、内部支持点との各位置を頂点とし、ヘッドアセンブリ１２及び／又は回路部１３を含む多角形内（図３の斜線部Ｐ）においてトップカバー１５を支持する。これにより、当該支持位置でのトップカバー１５の振動が抑制される。このため上記多角形部分の振動幅が小さくなり、トップカバー１５の面変形が抑制される。
【００２６】
また、回路部１３に、別部品である振動抑制部材１６を取付けた場合の、ディスク装置の内部の斜視図を図１２に示す。さらに回路部１３の構造の一部に支持体を形成し、振動抑制部材１６とした場合のディスク装置の内部の斜視図を図１３に示す。
【００２７】
本実施の形態のディスク装置は、上記振動抑制部材１６を含む構成をベース１４に収納し、トップカバー１５でカバーしたものである。このディスク装置にはホストコンピュータを接続し、ホストコンピュータから制御信号やデータを受け入れて、記憶媒体１１にデータを記録する。また、ホストコンピュータ側からの読出し指示を受けて、記憶媒体１１からデータを読み出してホストコンピュータ側に出力する。このように記録や読出しのアクセス中に、トップカバー１５に対して衝撃が与えられたとしても、トップカバー１５の振動が振動抑制部材１６によって抑制される。そして、トップカバー１５に固定されているヘッドアセンブリ１２の中心軸のブレも抑制され、ヘッドの浮上高が安定して、トップカバー１５に対する衝撃による記録再生への影響が低減される。
【図面の簡単な説明】
【００２８】
【図１】本発明の実施の形態に係るディスク装置の振動抑制部材を取付ける前の状態を表す斜視図である。
【図２】本発明の実施の形態に係るディスク装置の振動抑制部材を取付ける前の状態を表す平面図である。
【図３】本発明の実施の形態に係るディスク装置の振動抑制部材を取付ける範囲の例を表す説明図である。
【図４】呼吸フィルタに取付ける振動抑制部材の例を表す平面図である。
【図５】呼吸フィルタに取付ける振動抑制部材の例を表す側面図である。
【図６】呼吸フィルタに取付ける振動抑制部材の例を表す斜視図である。
【図７】回路部に取付ける振動抑制部材の例を表す平面図である。
【図８】回路部に取付ける振動抑制部材の例を表す側面図である。
【図９】回路部に取付ける振動抑制部材の例を表す斜視図である。
【図１０】回路部の構成の一部を変形して形成した振動抑制部材の例を表す斜視図である。
【図１１】振動抑制部材による支持位置を表す説明図である。
【図１２】回路部に、別部品である振動抑制部材を取付けた場合の、ディスク装置の内部の斜視図である。
【図１３】回路部の構造の一部に支持体を形成し、振動抑制部材とした場合のディスク装置の内部の斜視図である。
【符号の説明】
【００２９】
１１  記憶媒体、１２  ヘッドアセンブリ、１３  回路部、１４  ベース、１５  トップカバー、１６  振動抑制部材、３１  呼吸フィルタ、３２，３３，３４  支持柱部、４１，４１′  回路ベース。
【図１】
2006185508.tif 000003
【図２】
2006185508.tif 000004
【図３】
2006185508.tif 000005
【図４】
2006185508.tif 000006
【図５】
2006185508.tif 000007
【図６】
2006185508.tif 000008
【図７】
2006185508.tif 000009
【図８】
2006185508.tif 000010
【図９】
2006185508.tif 000011
【図１０】
2006185508.tif 000012
【図１１】
2006185508.tif 000013
【図１２】
2006185508.tif 000014
【図１３】
2006185508.tif 000015